(57)【要約】【課題】全方位的に、かつ内外双方から利用可能であり、誰でも気軽に立ち寄って思い思いの態様で利用できる、親近感や開放感に溢れた多目的型の空間ユニットを提供する。【解決手段】本発明の空間ユニット１は、略正方形状のベースパネル２と、その四辺に立設される四面のサイドパネル３と、それらの頂部に載架されるトップパネル４とによって構成される、組立・解体可能な略立方体形状の本体部分を具備する。四面のサイドパネル３は内外方向に素通しのオープン棚からなり、相対する二面のサイドパネル３には出入口３３が設けられる。各サイドパネル３の外側には、外方へ跳ね上げ式に開閉されるカバーパネル５が取り付けられる。【選択図】図３
2010007259.tif 000002
【特許請求の範囲】
【請求項１】
平面視略正方形状をなすベースパネルと、
上記ベースパネルの四辺に沿って立設される四面のサイドパネルと、
上記サイドパネルの頂部に載架されるトップパネルとによって、組立・解体可能な略立方体形状の本体部分が構成され、
上記四面のサイドパネルは内外方向に素通しとなったオープン棚によって形成されるとともに、少なくとも相対する二面のサイドパネルには出入口が設けられ、
各サイドパネルの外側には、サイドパネルの過半面を塞ぐ大きさのカバーパネルが重ねられて、このカバーパネルはその頂辺近傍が上記本体部分にヒンジ連結されて、それぞれ外方へ撥ね上げ式に開閉されることを特徴とする空間ユニット。
【請求項２】
請求項１に記載の空間ユニットにおいて、
トップパネル及びカバーパネルは、適宜の下地枠に、防水性を備えた半透明の膜材又は面材を貼設して形成されていることを特徴とする空間ユニット。
【請求項３】
請求項１又は２に記載の空間ユニットにおいて、
サイドパネルを構成するオープン棚は、一部の棚板の配置が変更可能となされるとともに、オープン棚の一部には略箱状のスツールが出し入れ自在に収納されることを特徴とする空間ユニット。
【発明の詳細な説明】
【技術分野】
【０００１】
本発明は、略立方体形状をなす多目的の空間ユニットであって、特に、運搬、組立、移設等が容易で、小規模の仮設店舗や休憩所、展示施設等にも好適に利用し得る空間ユニットに関する。
【背景技術】
【０００２】
様々な場所に設置しうる比較的小型の組立式空間ユニットとして、例えば、特許文献１には、前面間口が屏風のように開閉する陳列棚タイプの店舗装置が提案されている。
【０００３】
また、特許文献２には、特に運搬性や設置の容易性等に配慮した空間ユニットとして、約１坪（３．３ｍ2 ）程度の面積を有する略円筒形状の移動式店舗装置が提案されている。この移動式店舗装置は、壁面に設けられた開閉式の扉を通じて内側空間に出入することができるようになっており、内部には情報機器や映像機器と、それを操作するための机や椅子が設置される。
【０００４】
また、移動式の店舗装置としては、例えば特許文献３に開示されているような、いわゆる車載式の屋台も従来よく知られている。
【特許文献１】登録実用新案第３０３８９１９号公報
【特許文献２】特開２００５−２９０９４９号公報
【特許文献３】特開２００６−２２６１３号公報
【発明の開示】
【発明が解決しようとする課題】
【０００５】
上記のような移動式店舗装置は、主に商業的な目的で開発されたものであるから、物品の陳列効率や、飲食設備の配置効率等を重視して構成されることになり、その結果、全体としての印象が機能性を重視したものに偏りがちである。さらに、利用者が直接的に利用できる面が限定されていて、例えば特許文献１記載の陳列棚タイプの店舗装置にあっては棚の正面側のみ、特許文献２に記載の略円筒形状の移動式店舗装置にあっては内側の壁面のみしか利用者は実質的に利用できない。特許文献３記載の車載式の屋台についても、その一面は自動車の運転席によって塞がれている。
【０００６】
また、上記のような移動式店舗装置は、物品の陳列販売や商談、飲食物の提供など、明確な商業的目的に合わせて空間が構成されることから、例えば軽い興味や好奇心を抱いた人が冷やかし程度で利用するような態様にはそぐわず、そのような人に対しては気軽に寄りつきにくい印象を与えてしまうという面もある。
【０００７】
本発明は上記のような事情に鑑みてなされたものであって、設置される空間の全方位的に利用可能であり、かつ空間の外側と内側の双方からも利用することができて、例えば公園のような公共的空間に設置されたときに、老若男女誰もが気軽に立ち寄って、特に明確な利用目的を持たない場合であっても各々思い思いの態様で自由に利用することができるような、親近感や開放感に溢れる多目的型の空間ユニットを提供するものである。
【課題を解決するための手段】
【０００８】
上記した目的を達成するため、本発明の空間ユニットは、平面視略正方形状をなすベースパネルと、上記ベースパネルの四辺に沿って立設される四面のサイドパネルと、上記サイドパネルの頂部に載架されるトップパネルとによって、組立・解体可能な略立方体形状の本体部分が構成され、上記四面のサイドパネルは内外方向に素通しとなったオープン棚によって形成されるとともに、少なくとも相対する二面のサイドパネルには出入口が設けられ、各サイドパネルの外側には、サイドパネルの過半面を塞ぐ大きさのカバーパネルが重ねられて、このカバーパネルはその頂辺近傍が上記本体部分にヒンジ連結されて、それぞれ外方へ跳ね上げ式に開閉されることを特徴とする。
【０００９】
この構成を備えた空間ユニットは、空間の四面を囲むサイドパネルがオープン棚によって形成され、その棚も内外方向に素通しとなっているから、極めて開放感の高い空間が形成される。オープン棚を通じて外側から内部の様子を窺うことができるのに加え、サイドパネルの相対する二面に出入口が設けられているので通り抜けも可能であり、したがって、初めて目にする人や馴染みのない人でも、気軽に中に入ることができる。
【００１０】
また、単に開放感が高いだけでなく、サイドパネルを構成するオープン棚に様々な物品や書籍等を陳列して多くの情報を提供することができる。この陳列スペースは、外側に向けても、内側に向けても利用可能であるから、そのスペースを有効に活用して陳列態様に工夫を凝らせば、多くの人の興味を惹きつけて、飽きさせずに楽しませることが可能になる。
【００１１】
また、各サイドパネルの外側には、跳ね上げ式のカバーパネルが重ねられてオープン棚の少なくとも過半面が塞がれる。このカバーパネルは、移動時や休止時には保安のために閉じられて内部を隠し、この空間ユニットを利用する際には跳ね上げられて庇となる。このカバーパネルを活用すれば、屋外設置の場合でも日射しや風雨を避けて、快適なスペースを創出することができる。また、人は一般に、頭上に何もない場所よりは、庇や屋根、大木の枝などがある場所のほうが集まりやすいという心理的傾向があるので、跳ね上げたカバーパネルによって集客性を高める効果も期待できる。もちろん、空間演出の意図や、立地条件、気象条件等によっては、四面のカバーパネルのうちうち一部を開放し、一部は閉じたままにしておくこともできる。
【００１２】
さらに本発明は、上記構成に係る空間ユニットのトップパネル及びカバーパネルが、適宜の下地枠に、防水性を備えた半透明の膜材又は面材を貼設して形成されていることを特徴とする。
【００１３】
この構成は、光による空間の演出効果を意図して採用されたものである。外殻を構成するトップパネル及びカバーパネルを半透光性の材料で形成することにより、特に屋外に設置する場合、内部に柔和な外光を取り込んで、寛ぎやすく優しい居心地を創り出すことができる。また、夜間に利用する場合も、内部に設置した照明の光がトップパネルやカバーパネルを透過して外観が柔らかく光ることにより、空間ユニット全体が大きい照明装置であるかのような、美しく幻想的な意匠的効果が創出される。
【００１４】
なお、防水性を備えた半透明の膜材や面材としては、例えば、白っぽい色のテント生地や、樹脂をコーティングした帆布、ポリカーボネイトその他の合成樹脂からなる薄板材等を好適に利用することができる。
【００１５】
さらに本発明は、上記構成に係る空間ユニットにおいて、サイドパネルを構成するオープン棚の一部の棚板の配置が変更可能となされるとともに、オープン棚の一部には略箱状のスツールが出し入れ自在に収納されるように構成されたことを特徴とする。
【００１６】
この構成によれば、空間の利用目的に応じて、物品等の陳列形態にも多様な変化を付与することが可能になる。また、オープン棚のスペースを利用して収納されるスツールを空間ユニットの周囲に配置すれば、人が休息したり談笑したりすることのできる溜まり場が形成され、集客性がさらに向上する。
【発明の効果】
【００１７】
上述のように構成される本発明の空間ユニットは、四面を囲むサイドパネルが内外方向に素通しのオープン棚によって形成され、少なくともその相対する二面に出入口が設けられているので、極めて開放感が高く、かつ、誰でも気軽に出入りし易い空間が形成される。素通しのオープン棚は、外側に向けても様々な情報を発信することができるので、多くの人の興味を惹きつけるのに寄与する。各サイドパネルの外側に重ねられた跳ね上げ式のカバーパネルも、庇として集客性を高めるのに寄与する。
【００１８】
このような空間ユニットを、例えば公園のような公共的空間に設置すれば、老若男女誰もが気軽に立ち寄って、各々思い思いの態様で自由に利用することができるような、親近感や開放感に溢れる空間が創出される。
【発明を実施するための最良の形態】
【００１９】
以下、本発明の実施の形態について図を参照して説明する。
【００２０】
図１〜図１４は、本発明の実施形態に係る空間ユニットの各部形状、構造、使用状態等を示す図である。
【００２１】
例示の空間ユニット１は、全体として縦・横・高さが約２．５ｍに納まる大きさの略立方体形状をなしている。本体部分は、平面視略正方形状をなすベースパネル２と、ベースパネル２の四辺を囲むようにして立設される四面のサイドパネル３と、それらサイドパネル３の頂部に載架されるトップパネル４とによって構成される。例示形態の各パネルは主要部が木製であるが、材質は特にこれに限定しない。
【００２２】
ベースパネル２は、表面が略平坦に形成されており、その四隅には上面視略矩形の孔部２１が形成されている。この孔部２１は、後述するカバーパネル５を跳ね上げたときに支持ポール６を係合させるための受部となる。ベースパネル２を起伏のある場所にも載置する可能性がある場合には、ベースパネル２の裏面適所に、高さ調整機能を有する適当な脚部材（図示せず）等が取り付けられていてもよい。
【００２３】
サイドパネル３は、四面とも、内外方向に素通しとなったオープン棚によって形成される。オープン棚は、奥行きが概ね数十ｃｍとなされ、複数枚の縦板３１と棚板３２とを格子組みして形成されている（図８〜図１０参照）。棚スペースには大小の変化がつけられており、一部の棚板３２はその位置を付け替えることができるようになっている。四面のうち相対する二面のサイドパネル３については、その幅方向における略中央部に出入口３３が設けられている。
【００２４】
トップパネル４は、上面視格子状の桁組４１に膜材４２を貼設して形成されている（図３、図６参照）。桁組４１には、中央を頂部として四方に下降傾斜する緩い勾配が設けられている。桁組４１の軒先部分は、サイドパネル３の外面よりも若干、外方に迫り出している。膜材４２は、屋外に設置することも考慮すると、例えばテント生地や帆布のように防水性と強度に優れるものが好ましいが、そのほかにも、天然繊維又は化学繊維からなる織布や不織布に樹脂コーティングを施したもの、あるいは合成樹脂製のシート材等を好適に利用することができる。膜材４２の色については、内部に外光を取り込めるような半透明色や淡色系のものが好ましい。
【００２５】
さらに、四面のサイドパネル３の外側には、サイドパネル３の少なくとも過半面（好ましくは略全面）を塞ぐことのできる略正方形状のカバーパネル５が重ねられる。カバーパネル５は、適宜の下地枠５１に、上記トップパネル４と同様の膜材や、ポリカーボネイトその他の合成樹脂からなる薄板材５２を貼設するなどして形成されている（図８〜図１０参照）。それらの膜材や薄板材５２ついても、内部に外光を取り込めるような半透明色や淡色系のものが好ましい。
【００２６】
カバーパネル５は、その頂辺近傍が、サイドパネル３の頂辺近傍あるいはトップパネル４の軒先近傍に、適宜のヒンジ金具５３等を介して回動自在に連結され、四方へ撥ね上げ式に開閉可能となっている（図１０〜図１２参照）。図１１〜図１４は、カバーパネル５を略水平に跳ね上げた状態を示す。カバーパネル５を跳ね上げ状態で支持するために、例示形態では、金属管材等からなる細長い支持ポール６を用いている。支持ポール６は、その基端部が上述したベースパネル２の四隅の孔部２１に挿し込まれ、上端部がカバーパネル５の先端縁部に係止される。支持ポール６は伸縮可能であってもよく、その場合は支持ポール６の運搬性が向上するとともに、カバーパネル５の跳ね上げ角度も調整可能になる。
【００２７】
上記した各パネルは、それぞれの辺部近傍にて、適宜の金具等を介し互いに連結され、容易に組立・解体・運搬することができるようになっている。金具等については、一般的なボルト・ナットやヒンジ金物等、公知の多様な金具類を連結部位に応じて利用することができ、本発明においては特にその詳細な種類を限定しない。
【００２８】
また、各パネルは、それぞれ一枚ずつ予め一体的に完成されていてもよいし、運搬性等に配慮して更に二個〜四個程度の部分に分割されるようになっていてもよい。例示形態においては、トップパネル４が、図６中に鎖線で示したように四分割され、現場で合体できるように構成されている。トップパネル４やカバーパネル５に貼設される膜材４２や薄板材５２も、例えばホックや面ファスナー等を利用して現場で着脱できるようになっていてもよい。こうした構造を採用することにより、空間ユニット１の全体的な意匠性と構造的な安定感を保持しつつ、さまざまな態様への利用可能性を拡張することができる。
【００２９】
この空間ユニット１は、サイドパネル３によって囲まれた矩形の内部空間を提供するだけでなく、カバーパネル５を開放してサイドパネル３を外側からも利用可能とすることにより、その周囲にも一定の拡がりをもった集客性のある空間を創出する。その外側空間を更に居心地の良いものとするには、周囲に椅子などを置くのも望ましい。そこで、例示形態に係る空間ユニット１は、箱型のスツール７を複数個用意し、それらを不使用時にはサイドパネル３の棚スペースに収納することができるように構成している。更にスツール７だけでなく、例えば組立式のテーブル（図示せず）等を出し入れ可能に収納してもよい。また、利便性を一層高めるために、内部に電源を供給して照明器具や音響機器、各種情報機器等を装備してもよい。
【産業上の利用可能性】
【００３０】
本発明に係る空間ユニットは、例えば、各種物品の陳列販売を行うためのミニ店舗やショールームとして、公園その他の公共的空間や、ショッピングセンター、ホテル等のオープンスペースに設置することができる。軽い飲食物を提供するスナックスタンドとしての利用も可能である。
【００３１】
また、営利目的に限らず、例えば、公園や広場に臨時的に設置される移動図書館や、各種イベントにおける休憩ブース、あるいは行政機関の広報ブース等に利用することもできる。もちろん、不特定多数の利用には供さない私的施設として、様々な趣味のための工房やスタジオ等に利用することもできる。
【図面の簡単な説明】
【００３２】
【図１】本発明の実施形態に係る空間ユニットの外観斜視図であって、四面のカバーパネルを全て閉じた状態を示す図である。
【図２】同、空間ユニットの外観斜視図であって、四面のカバーパネルを全て開いた状態を示す図である。
【図３】同、空間ユニットの外観斜視図であって、二面のカバーパネルを開き、二面のカバーパネルを閉じた状態を示す図である。トップパネルの膜材は取り外した状態で示している。
【図４】図１の状態に係る空間ユニットの正面図である。
【図５】同、右側面図である。
【図６】同、平面図（上面図）である。ただし、トップパネルの膜材は一部分のみ図示している。
【図７】同、底面図である。
【図８】図４におけるＡ−Ａ断面図である。
【図９】図４におけるＢ−Ｂ断面図である。
【図１０】図５におけるＣ−Ｃ断面図である。
【図１１】図２の状態に係る空間ユニットの正面図である。
【図１２】同、右側面図である。
【図１３】同、平面図（上面図）である。
【図１４】同、底面図である。
【符号の説明】
【００３３】
１  空間ユニット
２  ベースパネル
３  サイドパネル
４  トップパネル
３３  出入口
５  カバーパネル
７  スツール
【図１】
2010007259.tif 000003
【図２】
2010007259.tif 000004
【図３】
2010007259.tif 000005
【図４】
2010007259.tif 000006
【図５】
2010007259.tif 000007
【図６】
2010007259.tif 000008
【図７】
2010007259.tif 000009
【図８】
2010007259.tif 000010
【図９】
2010007259.tif 000011
【図１０】
2010007259.tif 000012
【図１１】
2010007259.tif 000013
【図１２】
2010007259.tif 000014
【図１３】
2010007259.tif 000015
【図１４】
2010007259.tif 000016